(57)【特許請求の範囲】
【請求項１】
アスファルトフィニッシャの機械本体に連結牽引されてアスファルト合材を敷き均すスクリードにおけるスクリードプレートを加熱するスクリード側熱風通路と、前記スクリードの両側部に、上下方向に所要量調整可能に設けられたサイドプレートを加熱するサイドプレート側熱風通路と、前記スクリード側熱風通路及び前記サイドプレート側熱風通路を連結する熱風ダクトとを備えた加熱式サイドプレートにおける熱風ダクトの可変方法であって、
前記熱風ダクトを、前記スクリード側熱風通路に通じる連通開口に常時連通する状態で前記サイドプレートの上下方向の調整操作に連動して上下にスライドさせるようにしたことを特徴とする加熱式サイドプレートにおける熱風ダクトの可変方法。
【請求項２】
上記熱風ダクトの下端は上記サイドプレート側熱風通路の一壁面を形成する仕切板に係止され、前記熱風ダクトは前記仕切板の上下方向の動きに連動して上記サイドプレートにおけるサイドプレートブラケット内を上下にスライドすることを特徴とする請求項１記載の加熱式サイドプレートにおける熱風ダクトの可変方法。
【発明の詳細な説明】
【技術分野】
【０００１】
本発明は、加熱式サイドプレートにおける熱風ダクトの可変方法に関するものであり、特に、サイドプレートを上下に調整してもスクリード側熱風通路とサイドプレート側熱風通路間の熱風の通路を常に確保し、スクリード側熱風通路とサイドプレート側熱風通路間を連結する熱風ダクトの配置スペースが広くなることを抑えてサイドプレートの厚みを格別厚くすることが不要な加熱式サイドプレートにおける熱風ダクトの可変方法に関するものである。
【背景技術】
【０００２】
従来の加熱式サイドプレートにおける熱風ダクトとしては、例えば図５に示すようなものがある。この従来技術は、図示しないスクリードの側部に設けられたサイドプレートブラケット１５に加熱式のサイドプレート１６が支持されている。スクリード下端部の図示しないスクリード側熱風通路が加熱チューブブラケット１７及び熱風ダクトとしてのフレキシブルチューブ１８を介してサイドプレート側熱風通路１９に連結されている。該サイドプレート側熱風通路１９はスクリード側熱風通路よりもやや下っており、フレキシブルチューブ１８はサイドプレート側熱風通路１９側でやや下方に湾曲している。Ａ矢印はアスファルトフィニシャの進行方向を示している。
【０００３】
上記のような加熱式サイドプレートにおける熱風ダクトに関連する従来技術として、例えば、次のようなスクリード装置が知られている。この従来技術は、サイドプレートが、スクリードの側部に固定されたサイドフレーム（固定式サイドプレート）と、このサイドフレームにヒンジピンによって回動自在に支持された開閉式サイドプレートとで構成されている。開閉式サイドプレートはシリンダが縮むことにより閉じた状態から開いた状態に移行し、開閉式サイドプレートが開くことにより舗装幅が拡大する。
【０００４】
スクリードのスクリードプレートは、ブロアバーナからの熱気によって加熱される。この熱気は、スクリードプレートを一壁面とする箱状通路を流れてサイドフレームに達する。箱状通路はサイドフレームの内部で熱風ダクトとしての円管状の耐熱性フレキシブルチューブに連結されている。この耐熱性フレキシブルチューブは、サイドフレーム（固定式サイドプレート）と開閉式サイドプレートとの開閉部間にわたって設けられており、開閉式サイドプレートがヒンジを中心にして回動すると、その回動に伴って湾曲する。
【０００５】
耐熱性フレキシブルチューブは開閉式サイドプレートの内部で開閉式サイドプレート側箱状通路に連結されている。耐熱性フレキシブルチューブを通過した熱気はさらにこの開閉式サイドプレート側箱状通路を流れ、開閉式サイドプレートが加熱される（例えば、特許文献１参照）。
【先行技術文献】
【特許文献】
【０００６】
【特許文献１】特許第３２１８３０１号公報
【発明の概要】
【発明が解決しようとする課題】
【０００７】
図５に示した従来技術においては、熱風ダクトとしてのフレキシブルチューブは、スクリード側熱風通路に対するサイドプレート側熱風通路の下方への位置ずれに対し、湾曲することでスクリード側熱風通路とサイドプレート側熱風通路間の熱風の通路を保持している。
【０００８】
特許文献１に記載の従来技術においては、熱風ダクトとしての円管状の耐熱性フレキシブルチューブは、開閉式サイドプレートが回動する動きに対し湾曲することでサイドフレーム（固定式サイドプレート）を介してスクリードと開閉式サイドプレート間の熱風の通路を保持している。
【０００９】
しかしながら、スクリード側熱風通路とサイドプレート側熱風通路間を連結する熱風ダクトとして湾曲することで熱風の通路を保持するフレキシブルチューブを用いるとサイドプレートの厚みが厚くならざるを得ず、このためアスファルトフィニシャの車両最外側が大きくなってしまっていた。また、車両最外側が大きくなることで組立性もよくなかった。
【００１０】
そこで、サイドプレートをスクリードに対し上下に調整してもスクリード側熱風通路とサイドプレート側熱風通路間の熱風の通路を常に確保し、スクリード側熱風通路とサイドプレート側熱風通路間の連結部材の配置スペースが広くなることを抑えてサイドプレートの厚みを厚くすることを不要とし組立性を良好にするために解決すべき技術的課題が生じてくるのであり、本発明はこの課題を解決することを目的とする。
【課題を解決するための手段】
【００１１】
本発明は上記目的を達成するために提案されたものであり、請求項１記載の発明は、アスファルトフィニッシャの機械本体に連結牽引されてアスファルト合材を敷き均すスクリードにおけるスクリードプレートを加熱するスクリード側熱風通路と、前記スクリードの両側部に、上下方向に所要量調整可能に設けられたサイドプレートを加熱するサイドプレート側熱風通路と、前記スクリード側熱風通路及び前記サイドプレート側熱風通路を連結する熱風ダクトとを備えた加熱式サイドプレートにおける熱風ダクトの可変方法であって、前記熱風ダクトを、前記スクリード側熱風通路に通じる連通開口に常時連通する状態で前記サイドプレートの上下方向の調整操作に連動して上下にスライドさせるようにした加熱式サイドプレートにおける熱風ダクトの可変方法を提供する。
【００１２】
この構成によれば、スクリードプレートを加熱するスクリード側熱風通路とサイドプレートを加熱するサイドプレート側熱風通路とが熱風ダクトで連結されている。サイドプレートがスクリードに対し上下方向に所要量調整されると、この調整操作に連動して熱風ダクトがスクリード側熱風通路に通じる連通開口に常時連通する状態で上下に所要量スライドする。この結果、サイドプレートがスクリードに対し上下に調整されても、スクリード側熱風通路の熱気が熱風ダクトを通ってサイドプレート側熱風通路に導かれ、サイドプレートがアスファルト合材の流動化温度以上に加熱される。
【００１３】
請求項２記載の発明は、請求項１記載の発明において、上記熱風ダクトの下端は上記サイドプレート側熱風通路の一壁面を形成する仕切板に係止され、前記熱風ダクトは前記仕切板の上下方向の動きに連動して上記サイドプレートにおけるサイドプレートブラケット内を上下にスライドする加熱式サイドプレートにおける熱風ダクトの可変方法を提供する。
【００１４】
この構成によれば、熱風ダクトの下端はサイドプレート側熱風通路の一壁面を形成する仕切板に係止されている。サイドプレートがスクリードに対し上下方向に所要量調整されると、熱風ダクトは仕切板の上下方向の動きに連動してサイドプレートブラケット内を上下に所要量スライドする。そしてスクリード側熱風通路の熱気がサイドプレートブラケット内を所要量スライドした熱風ダクトを通ってサイドプレート側熱風通路に導かれ、サイドプレートが加熱される。
【発明の効果】
【００１５】
請求項１記載の発明は、サイドプレートがスクリードに対し上下に調整されても、この調整操作に連動して熱風ダクトがスクリード側熱風通路に通じる連通開口に常時連通する状態で上下にスライドすることで、スクリード側熱風通路とサイドプレート側熱風通路間の熱風の通路が常に確保されてスクリードにおけるスクリードプレートと共にサイドプレートを確実に加熱することができる。また、スクリード側熱風通路とサイドプレート側熱風通路とを連結する連結部材を、サイドプレートの上下の調整操作に対し、湾曲することでこれに対応するフレキシブルパイプ等ではなく、上下にスライドすることでこれに対応する熱風ダクトを用いたことで、連結部材の配置スペースを格別広くとることが不要となり、特にサイドプレートの厚みを厚くすることが不要になるという利点がある。
【００１６】
請求項２記載の発明は、請求項１記載の発明の効果に加えてさらに、熱風ダクトの下端がサイドプレート側熱風通路の一壁面を形成する仕切板に係止され、熱風ダクトは仕切板の上下方向の動きに連動してサイドプレートブラケット内を上下にスライドする。したがって、熱風ダクトのスライドスペースを特に設定する必要がなく、サイドプレートの厚みを格別厚くすることが不要になるという利点がある。
【図面の簡単な説明】
【００１７】
【図１】本発明の実施例に係る加熱式サイドプレートにおける熱風ダクトの可変方法に適用されるスクリード装置を示す図であり、（ａ）は側面図、（ｂ）は一部省略して示す図（ａ）の背面図。
【図２】図１における熱風ダクト部分を拡大して示す図であり、（ａ）は図１（ｂ）の熱風ダクト部分の拡大断面図、（ｂ）は図１（ａ）におけるＸ−Ｘ線に沿う部分の拡大断面図。
【図３】図１のスクリード装置においてサイドプレートが上方向に所要量調整されて熱風ダクトが上方に所要量スライドした場合を示す図であり、（ａ）は一部断面で示す側面図、（ｂ）は図（ａ）中のＹ−Ｙ線に沿う部分を一部省略して示す断面図。
【図４】図１のスクリード装置においてサイドプレートが下方向に所要量調整されて熱風ダクトが下方に所要量スライドした場合を示す図であり、（ａ）は一部断面で示す側面図、（ｂ）は図（ａ）中のＺ−Ｚ線に沿う部分を一部省略して示す断面図。
【図５】従来の加熱式サイドプレートを備えたスクリード装置の側面図。
【発明を実施するための形態】
【００１８】
本発明は、サイドプレートをスクリードに対し上下に調整してもスクリード側熱風通路とサイドプレート側熱風通路間の熱風の通路を常に確保し、スクリード側熱風通路とサイドプレート側熱風通路間の連結部材の配置スペースが広くなることを抑えてサイドプレートの厚みを厚くすることを不要とし組立性を良好にするという目的を達成するために、アスファルトフィニッシャの機械本体に連結牽引されてアスファルト合材を敷き均すスクリードにおけるスクリードプレートを加熱するスクリード側熱風通路と、前記スクリードの両側部に、上下方向に所要量調整可能に設けられたサイドプレートを加熱するサイドプレート側熱風通路と、前記スクリード側熱風通路及び前記サイドプレート側熱風通路を連結する熱風ダクトとを備えた加熱式サイドプレートにおける熱風ダクトの可変方法であって、前記熱風ダクトを、前記スクリード側熱風通路に通じる連通開口に常時連通する状態で前記サイドプレートの上下方向の調整操作に連動して上下にスライドさせることにより実現した。
【実施例１】
【００１９】
以下、本発明の好適な実施例を図１の（ａ）、（ｂ）乃至図４の（ａ）、（ｂ）を参照して説明する。まず、本実施例に係る加熱式サイドプレートにおける熱風ダクトの構成を説明する。本実施例は、サイドプレートが、スクリードの両側部に固定された固定式サイドプレートと、この固定式サイドフレームにヒンジピンで回動自在に支持された開閉式サイドプレートとで構成されている場合において加熱式の前記固定式サイドフレームに適用されている。以下、本明細書では、この固定式サイドフレームを単にサイドフレームと言う。
【００２０】
図１の（ａ）、（ｂ）において、アスファルトフィニッシャの機械本体に連結牽引されてアスファルト合材を敷き均すスクリード１の両側部にそれぞれサイドプレート２が設けられている。図１の（ａ）、（ｂ）では、アスファルトフィニッシャのＡ矢印で示す走行方向の右方に位置するサイドプレート２だけが示されている。サイドプレート２は、前・後部の全ねじボルト３ａ，３ｂを交互に回動操作することで高さ及び前後方向の傾き（アタック角）が所要量調整可能となっている。
【００２１】
図１（ｂ）及び図２（ａ）に示すように、前記スクリード１の下端部にはスクリードプレート４を一壁面とするスクリード側熱風通路５が形成されている。該スクリード側熱風通路５を図示しないブロアバーナからの熱風がスクリードプレート４を加熱しつつサイドプレート２側に流れる。スクリード１におけるスクリード側熱風通路５の終端部上方位置には、該スクリード側熱風通路５を流れた熱風を、さらにサイドプレート側熱風通路６に流し込むための連通開口７が形成されている。サイドプレート側熱風通路６は、サイドプレート２における仕切板８の下面及びサイドプレート２下端の平板部９の上面を壁面として形成され、その終端部には熱風排出口１０が開口されている。
【００２２】
図１（ａ）に示すように、前記連通開口７は、リアスクリードフレーム１１下方に相当するスクリード１側位置に形成され、該リアスクリードフレーム１１下方のサイドプレートブラケット１２部分に、スクリード側熱風通路５とサイドプレート側熱風通路６間を連結する熱風ダクト１３がサイドプレート２の上下方向の調整操作に連動して上下にスライド可能に設けられている。
【００２３】
図２の（ａ）、（ｂ）に示すように、熱風ダクト１３は平面視がほぼコ字状に形成され、前記連通開口７に対向する面側がほぼ全高にわたって開放部１３ａとなっている。このため、熱風ダクト１３は前記スクリード側熱風通路５に通じる連通開口７に常時連通する状態でサイドプレート２の上下方向の調整操作に連動してサイドプレートブラケット１２内を上下にスライドする。
【００２４】
前記熱風ダクト１３のダクト面積（コ字状面積）は、仕切板８に開口された熱風取込口８ａの開口面積よりも僅かに大きく形成されている。このため、熱風ダクト１３の下端は仕切板８の上面に係止されている。また、熱風ダクト１３の下端には爪１３ｂが形成されており、該爪１３ｂが仕切板８の裏面側に回り込んで該仕切板８の裏面に係止されている。該仕切板８は、サイドプレート２の上下方向の調整操作時に、該サイドプレート２と共に上下に動くことから、熱風ダクト１３はサイドプレート２の上下方向の調整操作、即ち仕切板８の上下方向の動きに連動してサイドプレートブラケット１２内を上下にスライドする。
【００２５】
次に、上述のように構成された加熱式サイドプレートにおける熱風ダクトの可変方法及び作用を説明する。
＜サイドプレートが上げ操作された場合＞
サイドプレートがスクリードに対し所要量上がるように調整操作された場合を図３の（ａ）、（ｂ）を用いて説明する。未舗装面のへりに設置される図示しない盤木が有る場合、サイドプレート２はスクリード１下端より若干程度上げられる。このサイドプレート２を所要量上げる調整操作時に熱風ダクト１３がスクリード側熱風通路５に通じる連通開口７に常時連通する状態で上方に所要量スライドし、該熱風ダクト１３の実質的な高さ、即ち仕切板８から連通開口７位置までの高さが小になるように可変される。そして熱風ダクト１３の実質的な高さが小になるように可変されても、スクリード側熱風通路５の熱気が連通開口７から熱風ダクト１３を通ってサイドプレート側熱風通路６に導かれ、サイドプレート２がアスファルト合材の流動化温度以上に加熱される。
＜サイドプレートが下げ操作された場合＞
サイドプレートがスクリードに対し所要量下がるように調整操作された場合を図４の（ａ）、（ｂ）を用いて説明する。未舗装面のへりに設置される図示しない盤木が無い場合、サイドプレート２はスクリード１下端より５ｃｍ（アスファルト合材厚さ５ｃｍ）程度下げられる。このサイドプレート２を所要量下げる調整操作時に熱風ダクト１３がスクリード側熱風通路５に通じる連通開口７に常時連通する状態で下方に所要量スライドし、該熱風ダクト１３の実質的な高さ、即ち仕切板８から連通開口７位置までの高さが大になるように可変される。そして熱風ダクト１３の実質的な高さが大になるように可変されても、スクリード側熱風通路５の熱気が連通開口７から熱風ダクト１３を通ってサイドプレート側熱風通路６に導かれ、サイドプレート２がアスファルト合材の流動化温度以上に加熱される。
【００２６】
上述したように、本実施例に係る加熱式サイドプレートにおける熱風ダクトの可変方法においては、サイドプレート２がスクリード１に対し上下に調整されても、この調整操作に連動して熱風ダクト１３がスクリード側熱風通路５に通じる連通開口７に常時連通する状態で上下にスライドすることで、スクリード側熱風通路５とサイドプレート側熱風通路６間の熱風の通路が常に確保されてスクリード１におけるスクリードプレート４と共にサイドプレート２を確実に加熱することができる。
【００２７】
スクリード側熱風通路５とサイドプレート側熱風通路６とを連結する連結部材を、サイドプレート２の上下の調整操作に対し、湾曲することでこれに対応するフレキシブルパイプ等ではなく、上下にスライドすることでこれに対応する熱風ダクト１３を用いたことで、連結部材の配置スペースを格別広くとることが不要となり、特にサイドプレート２の厚みを厚くすることが不要になる。
【００２８】
熱風ダクト１３の下端がサイドプレート側熱風通路６の一壁面を形成する仕切板８に係止され、熱風ダクト１３は仕切板８の上下方向の動きに連動してサイドプレートブラケット１２内を上下にスライドする。したがって、熱風ダクト１３のスライドスペースを特に設定する必要がなく、サイドプレート２の厚みを格別厚くすることが不要になる。
【００２９】
なお、本発明は、本発明の精神を逸脱しない限り種々の改変をなすことができ、そして、本発明が該改変されたものにも及ぶことは当然である。
【産業上の利用可能性】
【００３０】
サイドプレートをスクリードに対し上下に調整してもスクリード側熱風通路とサイドプレート側熱風通路間の熱風の通路を常に確保し、スクリード側熱風通路とサイドプレート側熱風通路間の連結部材の配置スペースが広くなることを抑えてサイドプレートの厚みを厚くすることを不要とし組立性を良好にすることが不可欠なグースアスファルトフィニッシャを含む道路舗装機械に広く適用することが可能である。
【符号の説明】
【００３１】
１          スクリード
２          サイドプレート
３ａ，３ｂ  全ねじボルト
４          スクリードプレート
５          スクリード側熱風通路
６          サイドプレート側熱風通路
７          連通開口
８          仕切板
９          平板部
１０          熱風排出口
１１          リアスクリードフレーム
１２          サイドプレートブラケット
１３          熱風ダクト
１３ａ        開放部
１３ｂ        爪
【図１】
0005656812.tif 000002
【図２】
0005656812.tif 000003
【図３】
0005656812.tif 000004
【図４】
0005656812.tif 000005
【図５】
0005656812.tif 000006